(57)【要約】【課題】滑走路に除電装置を容易に装着することができ、安価な滑り台を製作できるとともに、アース部材が断線したり、腐食することの無い静電気除電装置付滑り台を提供する。【解決手段】合成樹脂材料で形成された滑走路１１と、この滑走路１１の利用者７が摺接する部分に固着された導電性テープ１２，１５と、この導電性テープ１２，１５の全面を覆うように固着された導電性保護部材１３，１６と、この導電性保護部材１３，１６の両方またはいずれか一方に接続されるアース部材１７とを備える。【選択図】　　　　図１
2004065880.tif 000002
【特許請求の範囲】
【請求項１】
合成樹脂材料で形成された滑走路と、この滑走路の利用者が摺接する部分に固着された導電性テープと、この導電性テープの全面を覆うように固着された導電性保護部材と、この導電性保護部材および上記導電性テープの両方またはいずれか一方に接続されるアース部材とを備えたことを特徴とする静電気除電装置付滑り台。
【請求項２】
上記導電性保護部材は、導電性塗膜であることを特徴とする請求項１記載の静電気除電装置付滑り台。
【発明の詳細な説明】
【０００１】
【発明の属する技術分野】
この発明は、合成樹脂材料で形成された滑走路を有する滑り台に関するものである。
【０００２】
【従来の技術】
図４は、例えば実公平３−３４２２２号広報に示された従来の静電気防除装置付大型滑り台の部分断面図である。図において、１は滑走路、２はフランジ、３は支持サドル、４は支持構造物、５は受電層、６はアース線等から構成されている。７は滑走路１を滑走する利用者、８はアースすなわち大地である。
なお、受電層５は、鉄、銅、ステンレス鋼等の板状導電体を、滑走路１の内面で利用者７が摺接する部分に嵌め込んで形成するか、または粉末状導電体を滑走路１の内面に薄膜状にコーティングされ、滑走路１の底面に小孔を穿設してアース線６と接続されている。また、受電層５とアース線６と支持サドル３と支持構造物４とにより除電装置が構成されている。
【０００３】
利用者７が受電層５に接触すると、利用者７の衣服に帯電した静電気が、受電層５からアース線６を経由して導電体である支持サドル３または支持構造物４に伝わり、アース８を通して大地に放逐される。
また、現状の滑り台の一般的な除電方法としては、除電用のスプレーを滑走路１の滑走面または手摺部に吹き付けていた。しかし、この除電スプレーは、衣服等との摩擦によりすぐに剥げ落ちるために、長時間に亘り除電効果を維持することが困難であった。
【０００４】
【発明が解決しようとする課題】
上記のような従来の静電気防除装置付大型滑り台では、滑走路１の内面の利用者７が摺接する部分に、受電層５である板状導電体を嵌め込むために、凹部加工を施す必要があり、また、粉末状導電体をコーティングするものは滑走路１の底面にアース線６を通す小孔を穿設する必要があり、加工工数も多くなり、製作コストが高くなると言う問題点があった。
【０００５】
また、アース線６が外部に露出しているので、利用者７である子供達が引掛けて切断したり、アース線６が外気に曝されているので、腐蝕して断線し易いという問題点もあった。
【０００６】
この発明は、上述のような問題点を解決するためになされたもので、滑走路に除電装置を容易に装着することができ、安価な滑り台を製作できるとともに、アース部材が断線したり、腐食することの無い静電気除電装置付滑り台を提供することを目的とする。
【０００７】
【課題を解決するための手段】
この発明に係る静電気除電装置付滑り台においては、合成樹脂材料で形成された滑走路と、この滑走路の利用者が摺接する部分に固着された導電性テープと、この導電性テープの全面を覆うように固着された導電性保護部材と、この導電性保護部材および上記導電性テープの両方またはいずれか一方に接続されるアース部材とを備えたものである。
【０００８】
また、上記導電性保護部材は、導電性塗膜を用いたものである。
【０００９】
【発明の実施の形態】
実施の形態１．
図１は、この発明の実施の形態１である静電気除電装置付滑り台の一部を破断して示す斜視図である。図において、従来装置と同様なものは、同じ符号を付して、その説明を省略する。１１は滑走路であり、合成樹脂材料例えばポリエチレン樹脂で形成されている。
【００１０】
１２は受電層である第一の導電性テープであり、約０．０３〜０．１ｍｍの厚さで、片面に超低抵抗性の粘着剤が塗布されている銅箔テープを、滑走面１１ａに貼り付け固着されている。第一の導電性テープ１２の貼付け位置は、利用者７が矢印方向に滑走する、帯電しやすい滑走面１１ａの終点部近傍で、利用者７が摺接する部分に固着されている。１３は第一の導電性保護部材であり、導電性塗料が使用され、第一の導電性テープ１２の上に全面を覆うようにコーティングされて導電性塗膜が固着され、第一の導電性テープ１２の銅箔テープを保護する。
【００１１】
第一の導電性テープ１２および第一の導電性保護部材１３である導電性塗膜は、滑走路１１であるポリエチレン樹脂に対しての密着性を向上させるため、樹脂面に特殊なプライマー処理を施した後、接着およびコーティングされるので、使用者７が頻繁に滑走を繰り返しても、容易に剥がれないように強固に密着している。また、第一の導電性テープ１２の厚さは約０．０３〜０．１ｍｍと極めて薄く、その上に第一の導電性保護部材１３である導電性塗料を約０．０１〜０．０２ｍｍの極めて薄い厚さに、利用者が滑走面１１ａを滑走しても違和感を生じないようにコーティングされている。
【００１２】
１４は支持台であり、合成樹脂材料例えばポリエチレン樹脂で形成され、一端は滑走路１１の終端部の底面１１ｂを受けるように固着され、他端は大地８に埋設されている。なお、この支持台１４は、滑走路１１と一体に形成しても良い。１５は第二の導電性テープであり、一端が第一の導電性テープ１２に接続され、第一の導電性テープ１２と同じ材料の銅箔テープを用い、滑走面１１ａの下端面から底面１１ｂおよび支持台１４の側面に貼り付けている。なお、第二の導電性テープ１５は、図２においては滑走面１１ａのほぼ中央部に貼り付けているが、滑走面１１ａの左右（図２における滑走面１１ａの上側または下側）の任意の位置に貼り付けても良い。
【００１３】
１６は第二の導電性保護部材であり、導電性塗料が使用され、第二の導電性テープ１５の上に全面を覆うようにコーティングされて導電性塗膜が固着され、銅箔テープを保護する。１７は導電性を有する金属板で形成されたアース部材であり、第二の導電性テープ１５および第二の導電性保護部材１６の両方またはいずれか一方の受電層に導通するように接続され、大地８に埋設されている。
【００１４】
なお、支持台１４が導電性を有する金属材料で形成されている場合には、支持台１４がアース部材１７となるので、第二の導電性テープ１５および第二の導電性保護部材１６を直接金属製の支持台１４に接着およびコーティングしても良い。
【００１５】
上述のように構成された静電気除電装置付滑り台の除電作用について説明する。先ず、利用者７が滑走路１１の滑走面１１ａを滑り降りると、滑走面１１ａと利用者７の着衣間の摩擦により、静電気が発生し、着衣に帯電する。
次に、利用者７の着衣等に帯電した静電気は、利用者７が第一の導電性テープ１２および第一の導電性保護部材１３等からなる受電層に接触した瞬間に、第二の導電性テープ１５および第二の導電性保護部材１６を経由して、最終的にアース部材１７を通して大地８に放逐される。
【００１６】
この実施の形態１の静電気除電装置付滑り台の構成によれば、合成樹脂材料で形成された滑走路１１と、この滑走路１１の利用者が７摺接する滑走面１１ａの終点部近傍に固着された導電性テープ１２，１５と、この導電性テープ１２，１５の全面を覆うように固着された導電性保護部材１３，１６と、この導電性保護部材１３，１６および上記導電性テープ１２，１５の両方またはいずれか一方に接続されるアース部材１７とを備えるように構成したので、滑走路１１へ導電性テープ１２，１５および導電性保護部材１３，１６やアース部材１７等の除電装置の装着が容易になり、滑り台の製作コストが安価になる。また、従来装置のようなアース線６（図４に示す）も無くなるので、利用者７がアース部材１７を引掛けて断線させることも無くなるので安全である。さらに、導電性保護部材１３，１６およびアース部材１７が外部に露出しないので、外気に曝されて腐食することも無くなり、耐久性能も向上する。
【００１７】
また、導電性保護部材１３，１６として導電性塗膜を用いて導電性テープ１２，１５の全面を保護するようにしたので、導電性保護部材１３，１６を導電性テープ１２，１５に固着する作業が容易になると共に、導電性テープ１２，１５が外部に露出しなくなり、利用者７がアース部材１７を引掛けて切断したり、導電性テープ１２，１５やアース部材１７が外気に曝されて腐食することも無くなり、安全で耐久性能も向上する。
【００１８】
実施の形態２．
図３は、この発明の実施の形態２である静電気除電装置付滑り台の一部を破断して示す斜視図である。図において、実施の形態１と同様なものは、同一符号を付して、その説明を省略する。２２は第一の導電性テープであり、約０．０３〜０．１ｍｍの厚さで、片面に超低抵抗性の粘着剤が塗布されている銅箔テープを、利用者７が摺接する滑走路１１の手摺部１１ｃに貼り付け固着されている。２３は第一の導電性保護部材であり、導電性塗料が使用され、第一の導電性テープ２２の上に全面を覆うようにコーティングされて導電性塗膜が固着され、銅箔テープを保護する。
【００１９】
２４は第二の導電性テープであり、一端が第一の導電性テープ２２に接続され、第一の導電性テープ２２と同じ材料の銅箔テープを用い、手摺部１１ｃの側面および支持台１４の側面に貼り付けている。２５は第二の導電性保護部材であり、導電性塗料が使用され、第二の導電性テープ２４の上に全面を覆うようにコーティングされて導電性塗膜が固着され、銅箔テープを保護する。２６は導電性を有する金属板で形成されたアース部材であり、第二の導電性テープ２４および第二の導電性保護部材２５の両方またはいずれか一方の受電層に導通するように接続され、大地８に埋設されている。
【００２０】
上述のように構成された静電気除電装置付滑り台の除電作用について説明する。滑走路１１の帯電し易い途中箇所において、利用者７が滑り降りる際に、手摺部１１ｃに手の指先が接触すると、着衣などに帯電した静電気は、利用者７が第一の導電性テープ２２および第一の導電性保護部材２３等からなる受電層に接触した瞬間に、第一の導電性テープ２２および第一の導電性保護部材２３に放電し、第二の導電性テープ２４および第二の導電性保護部材２５を経由して、最終的にアース部材２６を通して大地８に放逐される。
【００２１】
この発明の実施の形態２の静電気除電装置付滑り台の構成によれば、合成樹脂材料で形成された滑走路１１と、この滑走路１１の利用者７が摺接する手摺部１１ｃに固着された導電性テープ２２，２４と、この導電性テープ２２，２４の全面を覆うように固着された導電性保護部材２３，２５と、この導電性保護部材２３，２５および導電性テープ２２，２４の両方またはいずれか一方に接続されるアース部材２６とを備えるように構成したので、実施の形態１と同様な効果を奏する。
【００２２】
なお、上述の実施の形態では、導電性テープを滑走路１１の終点部や手摺部１１ｃに装着するように構成したが、特に放電が起こり易い滑走路１１の始点部や中間部位の帯電し易い箇所にも適宜設けてもよい。また、滑走路１１の形状として断面がほぼコ字状のものについて述べたが、断面が円筒状の滑走路１１を有する滑り台に適用しても同様の効果を奏することは言うまでもない。
【００２３】
【発明の効果】
この発明は、以上説明したように構成されているので、以下に示すような効果を奏する。
【００２４】
この発明の静電気除電装置付滑り台によれば、合成樹脂材料で形成された滑走路と、この滑走路の利用者が摺接する部分に固着された導電性テープと、この導電性テープの全面を覆うように固着された導電性保護部材と、この導電性保護部材および導電性テープに接続されるアース部材とを備えるようにしたので、滑走路へ導電性テープおよび導電性保護部材等の除電装置の装着が容易になり、滑り台の製作コストが安価になる。
【００２５】
また、この発明の静電気除電装置付滑り台によれば、導電性保護部材として導電性塗膜を用いて導電性テープの全面を保護するようにしたので、導電性テープが外部に露出しなくなり、利用者が引掛けて切断したり、外気に曝されて腐食することも無くなり、安全で耐久性能も向上する。
【図面の簡単な説明】
【図１】この発明の実施形態１である静電気除電装置付滑り台の一部を破断して示す斜視図である。
【図２】図１の平面図である。
【図３】この発明の実施形態２である静電気除電装置付滑り台の一部を破断して示す斜視図である。
【図４】従来の静電気防除装置付大型滑り台を示す部分断面図である。
【符号の説明】
７　　　　　　利用者
１１　　　　　滑走路
１２，２２　　第一の導電性テープ
１３，２３　　第一の導電性保護部材
１５，２４　　第二の導電性テープ
１６，２５　　第二の導電性保護部材
１７，２６　　アース部材
【図１】
2004065880.tif 000003
【図２】
2004065880.tif 000004
【図３】
2004065880.tif 000005
【図４】
2004065880.tif 000006